(57)【要約】      （修正有）【課題】除雪効率が高い屋根用雪かき器を提供する。【解決手段】屋根用雪かき器は、把持ロッドと、把持ロッドの軸方向前端と連結される除雪フレームと、除雪フレームの下部に連結されるガイド布とを備え、除雪フレームの前端底部に刀部１１１が設けられている。屋根用雪かき器は、除雪フレームの前端に、錐部４１が突設されている。【選択図】図３
0003231957.tif 000002
【実用新案登録請求の範囲】
【請求項１】
把持ロッドと、前記把持ロッドの軸方向前端と連結される除雪フレーム（１）と、前記除雪フレーム（１）の下部に連結されるガイド布（３）とを備え、前記除雪フレーム（１）の前端底部に刀部（１１１）が設けられている屋根用雪かき器であって、
前記除雪フレーム（１）の前端に錐部が突設されていることを特徴とする、
屋根用雪かき器。
【請求項２】
前記除雪フレーム（１）は、ピン（４）により端部が連結される少なくとも１つの連結部材（１１）を含み、前記錐部は、前記ピン（４）の前端に成型された第１錐部（４１）を含むことを特徴とする、
請求項１に記載の屋根用雪かき器。
【請求項３】
前記除雪フレーム（１）は、三角形のフレームであることを特徴とする、
請求項２に記載の屋根用雪かき器。
【請求項４】
前記刀部（１１１）は、前記連結部材（１１）の前端に成型されていることを特徴とする、
請求項２に記載の屋根用雪かき器。
【請求項５】
前記除雪フレーム（１）には、前記把持ロッドの軸方向前端が挿入されるスリーブ部（１２）が設けられており、前記錐部は、前記スリーブ部（１２）の軸方向前端に成型された第２錐部（１２１）を含むことを特徴とする、
請求項１に記載の屋根用雪かき器。
【請求項６】
前記スリーブ部（１２）は、前記除雪フレーム（１）の底部に設けられ、且つ前記ガイド布（３）の上方に位置しており、前記除雪フレーム（１）の両側にはそれぞれ、ローラ（５）が回動可能に連結されていることを特徴とする、
請求項５に記載の屋根用雪かき器。
【請求項７】
前記把持ロッドは、前記除雪フレーム（１）と連結される連結ロッド部（２１）と、前記連結ロッド部（２１）の軸方向後端と回動可能に連結される柄部（２２）と、を含むことを特徴とする、
請求項１に記載の屋根用雪かき器。
【請求項８】
前記連結ロッド部（２１）には、第１回動ジョイント（７）が設けられており、前記柄部（２２）には第２回動ジョイント（８）が設けられており、前記第１回動ジョイント（７）と前記第２回動ジョイント（８）とは締着部材（６）によって取り外し可能に連結されることを特徴とする、
請求項７に記載の屋根用雪かき器。
【請求項９】
前記第１回動ジョイント（７）と前記第２回動ジョイント（８）とは対向して設けられ、前記第１回動ジョイント（７）の接合面には第１歯部（７１）が設けられており、前記第２回動ジョイント（８）の接合面には、前記第１歯部（７１）と噛み合う第２歯部（８２）が設けられていることを特徴とする、
請求項８に記載の屋根用雪かき器。
【請求項１０】
前記柄部（２２）は、前記連結ロッド部（２１）と回動可能に連結される第１ロッド部（２２１）と、前記第１ロッド部（２２１）の軸方向後端と取り外し可能に連結される第２ロッド部（２２２）と、少なくとも１つの延長ロッド部（２２３）とを含み、前記延長ロッド部（２２３）の両端はそれぞれ、前記第１ロッド部（２２１）及び前記第２ロッド部（２２２）と取り外し可能に連結されることを特徴とする、
請求項７に記載の屋根用雪かき器。
【考案の詳細な説明】
【技術分野】
【０００１】
本考案は除雪機器の技術分野に関し、具体的には屋根用雪かき器に関する。
【背景技術】
【０００２】
人類の生活環境が悪化し続けるにつれ、極端な大雪の天気がますます増え、降雪後の屋根の積雪に悩まされている。屋根に積もった雪を長時間取り除かないでいると、屋根の破損が深刻化し、家屋の漏水や、ひいては屋根の損壊を招くこともある。屋根に積もった雪はアクセスしにくく、解けて固い氷になりやすいため、人手による除雪は難度が高く、除雪効果も低い。また、作業員が屋根に上って除雪するのは危険性が高いため、通常、人手による除雪には雪かきスコップや、屋根用雪かき器等の道具を使う必要がある。
【０００３】
中国実用新案登録第２０１３２０５２１６２３．４号（中国実用新案公告第２０３５１４６６２号）には、簡易な屋根用雪かき装置が開示されている。この屋根用雪かき装置は、伸縮可能な柄と、柄の最上端に連結された矩形又は楕円形の除雪フレームと、除雪フレームの下端に連結された直角台形の横断面を有する雪かき棒と、雪かき棒に設けられた雪下ろしベルトとを含む。上述の簡易な屋根用雪かき装置では、解けて氷になった雪を雪かき棒で砕き、柔らかい雪の塊を除雪フレームに通して、雪下ろしベルト上を滑らせながら地面に落とすので、構造も操作も簡単である。しかし、上述の屋根用雪かき装置には、以下の欠点がある。１．積雪量が多く積雪が分厚くても、この除雪フレームでは、直角台形の横断面を有する雪かき棒のみが砕氷機能を果たすので、雪かき装置の除雪効率が低い。２．除雪フレームの最上部に柄が連結され、除雪フレームの下部に雪かき棒が位置しているため、柄の除雪フレームに対する力点と、雪かきの力点とが同一直線上になく、砕氷効果が小さい。使用者が柄を押して動かさないと、除雪フレームが全く移動しないので、この雪かき装置による除雪操作は労力を伴う。３．屋根の異なるエリアを除雪する時、又は異なる屋根を除雪する時には、除雪フレームを異なる角度に向ける必要があるが、この屋根用雪かき装置の柄と除雪フレームとは常に垂直状態であるので、実際の除雪エリアに応じて除雪フレームの角度を調整することができず、適応性が悪く、除雪効果に影響を及ぼす。
【考案の概要】
【考案が解決しようとする課題】
【０００４】
本考案が解決しようとする第１の技術的課題は、上述の技術の現状に鑑み、除雪効果がさらに高い屋根用雪かき器を提供することである。
【０００５】
本考案が解決しようとする第２の技術的課題は、上述の技術の現状に鑑み、砕氷効果がさらに良好で、除雪操作がさらに楽な屋根用雪かき器を提供することである。
【０００６】
本考案が解決しようとする第３の技術的課題は、上述の技術の現状に鑑み、除雪適応性がさらに良好な屋根用雪かき器を提供することである。
【課題を解決するための手段】
【０００７】
本考案が上述の第１の技術的課題を解決するために採用した技術的手段は、把持ロッドと、把持ロッドの軸方向前端と連結される除雪フレームと、除雪フレームの下部に連結されるガイド布とを備え、除雪フレームの前端底部に刀部が設けられている屋根用雪かき器であって、除雪フレームの前端に錐部が突設されていることを特徴とする屋根用雪かき器である。
【０００８】
更なる設計として、除雪フレームは、ピンにより端部が連結される少なくとも１つの連結部材を含み、錐部は、ピンの前端に成型された第１錐部を含む。ピンの前端に第１錐部が成型されていることにより、除雪フレームに第１錐部を別途設ける必要がなく、除雪フレームの構造をさらに簡単にすることができる。
【０００９】
除雪フレームが変形しにくいように、除雪フレームは三角形のフレームである。ピンで連結部材の端部どうしを連結しているため、除雪フレームは、積雪との衝突により変形しやすいが、除雪フレームの三角形構造は、より安定していて、変形しにくい。
【００１０】
除雪フレームの砕氷効果をさらに良好にするため、刀部は連結部材の前端に成型されている。連結部材の前端に刀部を成型することで、除雪フレームの前端のほぼ全ての部分に刀部が成型されているため、除雪フレームの刀部の面積を大きくすることができ、除雪フレームの砕氷効果の向上に寄与する。
【００１１】
更なる設計として、除雪フレームには、把持ロッドの軸方向前端が挿入されるスリーブ部が設けられており、錐部は、スリーブ部の軸方向前端に成型された第２錐部を含む。スリーブ部に第２錐部が設けられていることにより、除雪フレームに第２錐部を別途設ける必要がなく、除雪フレームの構造をさらに簡単にすることができる。
【００１２】
本考案が上述の第２の技術的課題を解決するために採用した技術的手段は、上述のスリーブ部は除雪フレームの底部に設けられ、且つガイド布の上方に位置しており、除雪フレームの両側にそれぞれ、ローラが回動可能に連結されている、屋根用雪かき器である。把持ロッドを除雪フレームの底部に連結することにより、把持ロッドの力点と刀部とを同一直線上に配置でき、使用者の押す力がさらに効果的に刀部に作用するため、刀部の砕氷効果がさらに良好になる。さらに、除雪フレームの両側にローラを設けたことで、ローラと屋根の表面との間の転がり摩擦により、使用者は除雪フレームをさらに軽く押すことができ、砕氷操作もさらに楽になる。
【００１３】
本考案が上述の第３の技術的課題を解決するために採用した技術的手段は、把持ロッドは、除雪フレームと連結される連結ロッド部と、連結ロッド部の軸方向後端と回動可能に連結される柄部とを含む、屋根用雪かき器である。柄部を連結ロッド部と回動可能に連結することにより、柄部が除雪フレームに対して回動するので、柄部と除雪フレームとの夾角を変更することによって、屋根の異なるエリア及び異なる屋根の除雪のニーズに応えることができ、屋根用雪かき器の適応性がさらに良好になり、除雪効果もさらに高まる。
【００１４】
連結ロッド部と柄部とを回動可能に連結しやすいように、且つ連結ロッド部と柄部との組み立てがしやすいように、連結ロッド部には第１回動ジョイントが設けられており、柄部には第２回動ジョイントが設けられており、第１回動ジョイントと第２回動ジョイントとは、締着部材によって取り外し可能に連結される。
【００１５】
連結ロッド部と柄部との夾角を固定しやすいように、第１回動ジョイントと第２回動ジョイントとは対向して設けられ、第１回動ジョイントの接合面には第１歯部が設けられており、第２回動ジョイントの接合面には、第１歯部と噛み合う第２歯部が設けられている。
【００１６】
柄部の長さを調節しやすいように、柄部は、連結ロッド部と回動可能に連結される第１ロッド部と、第１ロッド部の軸方向後端と取り外し可能に連結される第２ロッド部と、少なくとも１つの延長ロッド部とを含み、延長ロッド部の両端はそれぞれ、第１ロッド部及び第２ロッド部と取り外し可能に連結される。
【考案の効果】
【００１７】
既存技術と比較した本考案の特長は以下である。除雪フレームの前端に錐部が突設されたことにより、錐部と氷の接触面積が小さいため、固い氷を砕くことができ、錐部と除雪フレームの刀部とが共同で作用するので、除雪フレームの除雪効率をさらに高めることができる。また、把持ロッドを除雪フレームの底部に連結したことにより、把持ロッドの力点と除雪フレームの底部の刀部とを同一直線上に配置でき、使用者の押す力がさらに効果的に刀部に作用し、刀部の砕氷効果をさらに良好にする。そして、除雪フレームの両側にローラを設けたことで、ローラと屋根表面との間の転がり摩擦により、使用者はさらに軽く除雪フレームを押すことができ、砕氷操作がさらに楽になる。さらに、柄部を連結ロッド部に回動可能に連結したことにより、柄部が除雪フレームに対して回動できるので、柄と除雪フレームとの夾角を変更することによって、屋根の異なるエリア及び異なる屋根の除雪のニーズに応えることができ、屋根用雪かき器の適応性がさらに高くなり、除雪効果がさらに良好になる。
【図面の簡単な説明】
【００１８】
【図１】本考案の実施例に係る屋根用雪かき器の構造を示す斜視図である。
【図２】図１のＡ部分の拡大図である。
【図３】本考案の実施例に係る除雪フレームの構造を示す斜視図である。
【図４】本考案の実施例に係る第１回動ジョイントの構造を示す斜視図である。
【図５】本考案の実施例に係る第２回動ジョイントの構造を示す斜視図である。
【考案を実施するための形態】
【００１９】
以下、図面と実施例とを結び付けながら、本考案についてさらに詳しく説明する。
【００２０】
図１〜５に示すのは、本考案の最良の実施例である。
【００２１】
本実施例の屋根用雪かき器は、除雪フレーム１、把持ロッド、ガイド布３、ピン４、ローラ５、締着部材６、第１回動ジョイント７及び第２回動ジョイント８等の主要部品を備える。
【００２２】
図１に示すように、除雪フレーム１は、把持ロッドの軸方向前端と固定連結され、ガイド布３は、除雪フレーム１の下部に連結され、除雪フレーム１の前端には、錐部が突設されている。これにより、除雪フレーム１の除雪効率を向上させることができる。本実施例では、ガイド布３は、除雪フレーム１の下部と回動可能に連結されている。
【００２３】
図３に示すように、本実施例の除雪フレーム１は、３つの連結部材１１を有し、各連結部材１１の前端には刀部１１１が成型されている。これにより、除雪フレーム１の刀部１１１の面積が大きくなり、除雪フレーム１の砕氷効果の向上に寄与する。図３に示すように、３つの連結部材１１の端部どうしがピン４で連結されることによって、除雪フレーム１が三角形のフレームになるため、除雪フレーム１の構造がさらに安定し、積雪と衝突しても変形しにくい。錐部は、ピン４の前端に成型された第１錐部４１を含む。
【００２４】
図３に示すように、除雪フレーム１には、把持ロッドの軸方向前端が挿入されるスリーブ部１２が設けられ、本実施例において、スリーブ部１２は、除雪フレーム１を含む平面に対して垂直に設けられる。このスリーブ部１２は、除雪フレーム１の底部に位置する連結部材１１に成型されており、且つガイド布３の上方に位置しているため、把持ロッドの力点と連結部材１１の刀部１１１とを同一直線上に配置でき、使用者の押す力がさらに効果的に刀部１１１に作用するので、刀部１１１の砕氷効果がさらに良好になる。錐部は、スリーブ部１２の軸方向前端に成型された第２錐部１２１を含む。
【００２５】
図１及び図３に示すように、除雪フレーム１の両側にはそれぞれ、ローラ５が回動可能に連結されており、ローラ５と屋根表面との間の転がり摩擦により、使用者は除雪フレーム１をさらに軽く押すことができ、砕氷操作がさらに楽になる。
【００２６】
図１に示すように、把持ロッドは、連結ロッド部２１及び柄部２２を含む。連結ロッド部２１の軸方向前端は、スリーブ部１２に挿入され、且つスリーブ部１２と取り外し可能に連結される。連結ロッド部２１の軸方向後端は、柄部２２の軸方向前端と回動可能に連結されているので、柄部２２と除雪フレーム１を含む平面との夾角を変更することにより、屋根の異なるエリア及び異なる屋根の除雪のニーズに応えることができ、屋根用雪かき器の適応性がさらに良好になり、除雪効果もさらに高まる。図２に示すように、連結ロッド部２１の軸方向後端には、第１回動ジョイント７が連結されており、柄部２２の軸方向前端には第２回動ジョイント８が連結されている。本実施例では、第１回動ジョイント７と連結ロッド部２１とが挿着係合しており、第２回動ジョイント８と柄部２２とが挿着係合している。第１回動ジョイント７と第２回動ジョイント８とは対向して設けられており、締着部材６が、第１回動ジョイント７と第２回動ジョイント８を順に貫通して、両者を取り外し可能に連結している。図４に示すように、第１回動ジョイント７の中央部には、締着部材６が貫入する第１連結部７１が設けられ、第１回動ジョイント７の接合面には、第１連結部７１を囲む第１歯部７２が設けられている。第２回動ジョイント８には、締着部材６が貫入する第２連結部８２が設けられ、第２回動ジョイント８の接合面には、第２連結部８２を囲む第２歯部８２が設けられている。第１連結部７１と第２連結部８１とは挿着係合して、第１歯部８１と第２歯部８２とが噛み合うので、連結ロッド部２１と柄部２２との夾角を固定しやすい。
【００２７】
本実施例の把持ロッド２の長さは調節可能である。具体的には、図１に示すように、柄部２２は、第１ロッド部２２１と、第２ロッド部２２２と、少なくとも１つの延長ロッド部２２３とを含む。第１ロッド部２２１の軸方向前端は、連結ロッド部２１と回動可能に連結されており、第２ロッド部２２２の軸方向前端は、第１ロッド部２２１の軸方向後端と取り外し可能に連結されている。また、延長ロッド部の両端はそれぞれ、第１ロッド部２２１及び第２ロッド部２２２と取り外し可能に連結されている。本実施例では、延長ロッド部２２３は１つだけだが、別の実施例では、延長ロッド部２２３の数は他の数であってもよい。実際の使用時は、屋根の高さ及び積雪しているエリアに応じて、把持ロッドの長さを延長又は短縮することができる。把持ロッドを短くする必要がある時は、柄部２２の第２ロッド部２２２と延長ロッド部２２３の両方を取り外すか、或いは、延長ロッド部２２３だけを取り外して、第２ロッド部２２２を第１ロッド部２２１に取り外し可能に連結する。把持ロッドの長さを長くする必要がある時には、必要に応じて、延長ロッド部２２３の数を増やす。
【００２８】
本実施例において、連結ロッド部２１とスリーブ部１２間の取り外し可能な連結、柄部２２の各部間の取り外し可能な連結（例えば、第１ロッド部２２１と第２ロッド部２２２間の取り外し可能な連結、延長ロッド部２２３と第１ロッド部２２１間及び第２ロッド部２２２間の取り外し可能な連結）は、全て弾性係止柱と係止孔との係合連結構造である。すなわち、取り外し可能に連結される２つの部材のうち、一方に係止孔が形成され、他方に弾性係止柱が設けられているものであり、この弾性係止柱と係止孔との係合連結構造については、既存技術を参照することができる。
【先行技術文献】
【特許文献】
【００２９】
【特許文献１】中国実用新案公告第２０３５１４６６２号
【図１】
0003231957.tif 000003
【図２】
0003231957.tif 000004
【図３】
0003231957.tif 000005
【図４】
0003231957.tif 000006
【図５】
0003231957.tif 000007